(57)【要約】【課題】  表示装置の階調再現性を最大限に生かすことを課題とする。【解決手段】  映像データの画素値の最大値及び最小値を検出する検出手段（４１）と、最大値及び最小値の間の映像データの画素値を送信可能な最大階調にデータ変換する第１の変換手段（４１）と、変換された映像データを送信すると共に最大値及び最小値を再現可能な情報を送信する送信手段（４２，４３）と、送信手段により送信された映像データ及び情報を受信する受信手段（５１）と、受信した映像データ及び情報を基に表示装置に表示しようとする表示データに階調変換する第２の変換手段（５２，５３）とを有する映像データ処理装置が提供される。【選択図】        図４
2005109717.tif 000002
【特許請求の範囲】
【請求項１】
映像データの画素値の最大値及び最小値を検出する検出手段と、
前記最大値及び最小値の間の映像データの画素値を送信可能な最大階調にデータ変換する第１の変換手段と、
前記変換された映像データを送信すると共に前記最大値及び最小値を再現可能な情報を送信する送信手段と、
前記送信手段により送信された映像データ及び情報を受信する受信手段と、
前記受信した映像データ及び情報を基に表示装置に表示しようとする表示データに階調変換する第２の変換手段と
を有することを特徴とする映像データ処理装置。
【請求項２】
前記検出手段は、表示画面毎に映像データの画素値の最大値及び最小値を検出し、
前記送信手段は、表示画面毎の最大値及び最小値を再現可能な情報を送信することを特徴とする請求項１記載の映像データ処理装置。
【請求項３】
前記送信手段は、前記変換された映像データを送信すると共に前記最大値及び最小値の情報を送信することを特徴とする請求項１又は２記載の映像データ処理装置。
【請求項４】
前記送信手段は、前記変換された映像データを送信すると共に前記最大値及び最小値の差分と最小値との情報を送信することを特徴とする請求項１又は２記載の映像データ処理装置。
【請求項５】
前記検出手段は、映像データの色毎の画素値の最大値及び最小値を検出し、
前記送信手段は、色毎の最大値及び最小値を再現可能な情報を送信し、
前記第２の変換手段は、受信した映像データ及び情報を基に表示装置に表示しようとする表示データに色毎に階調変換することを特徴とする請求項１〜４のいずれか1項に記載の映像データ処理装置。
【請求項６】
前記色毎の処理は、赤、緑及び青毎の処理であることを特徴とする請求項５記載の映像データ処理装置。
【請求項７】
前記送信手段は、前記最大値及び最小値を再現可能な情報を同期信号に多重して送信することを特徴とする請求項１〜６のいずれか１項に記載の映像データ処理装置。
【請求項８】
前記送信手段は、前記最大値及び最小値を再現可能な情報に応じて水平同期信号のアクティブ幅を変化させて水平同期信号を送信し、
前記第２の検出手段は、前記水平同期信号のアクティブ幅に応じて前記最大値及び最小値を検出することを特徴とする請求項７記載の映像データ処理装置。
【請求項９】
前記送信手段は、前記最大値及び最小値を再現可能な情報に応じて、垂直同期信号がアクティブである期間の水平同期信号のアクティブ幅を変化させて垂直同期信号及び水平同期信号を送信することを特徴とする請求項８記載の映像データ処理装置。
【請求項１０】
映像データの画素値の最大値及び最小値を検出する検出手段と、
前記最大値及び最小値の間の映像データの画素値を送信可能な最大階調にデータ変換する変換手段と、
前記変換された映像データを送信すると共に前記最大値及び最小値を再現可能な情報を送信する送信手段と
を有することを特徴とする映像データ処理装置。
【請求項１１】
映像データを受信すると共に映像データの画素値の最大値及び最小値を再現可能な情報を受信する受信手段と、
前記受信した映像データ及び情報を基に表示装置に表示しようとする表示データに階調変換する変換手段と
を有することを特徴とする映像データ処理装置。
【請求項１２】
同期信号の周期は変えずにアクティブ幅の変化でデータを表現して送信する送信手段と、
前記送信された同期信号を受信して同期信号のアクティブ幅の変化からデータを検出する検出手段と
を有することを特徴とする映像データ処理装置。
【請求項１３】
映像データの画素値の最大値及び最小値を検出する検出ステップと、
前記最大値及び最小値の間の映像データの画素値を送信可能な最大階調にデータ変換する変換ステップと、
前記変換された映像データを送信すると共に前記最大値及び最小値を再現可能な情報を送信する送信ステップと
を有することを特徴とする映像データ処理方法。
【請求項１４】
映像データを受信すると共に映像データの画素値の最大値及び最小値を再現可能な情報を受信する受信ステップと、
前記受信した映像データ及び情報を基に表示装置に表示しようとする表示データに階調変換する変換ステップと
を有することを特徴とする映像データ処理方法。
【請求項１５】
同期信号の周期は変えずにアクティブ幅の変化でデータを表現して送信する送信ステップと、
前記送信された同期信号を受信して同期信号のアクティブ幅の変化からデータを検出する検出ステップと
を有することを特徴とする映像データ処理方法。
【発明の詳細な説明】
【技術分野】
【０００１】
本発明は、映像データ処理技術に関し、特に映像データを通信する際の処理技術に関する。
【背景技術】
【０００２】
デジタル放送受信用IRD(Integrated Receiver Decoder)部と表示・再生部が分離されていてその間をデジタル映像信号で伝送する場合、例えば伝送部で一般的に使われるTMDSまたはGVIF方式ではRGB（赤緑青）各8bitsの伝送となる。一方IRD部で処理可能および表示・再生部で表示可能な階調数が伝送可能な階調数を上回っていて、例えば表示器はRGB各10bitsの処理が可能であっても、従来はIRD部・表示部の処理階調を伝送階調と同じにしていた。
【０００３】
IRD部および表示・再生部が処理可能な階調数が伝送可能な階調数を上回っていても伝送部の階調数で表示階調数は制限されてしまい、表示器の能力を最大限に生かせない欠点がある。このため、例えば表示したい画面が全体的に暗い場合、伝送階調数が十分でないため表示画面の階調再現性が低くなってしまうため何が映っているのかよく分からないことがある。
【０００４】
また、下記の特許文献１には、画像形成時に原画に忠実な色再現を可能とするカラー画像処理装置が記載されている。
【０００５】
【特許文献１】特開平７−２３２４１号公報
【発明の開示】
【発明が解決しようとする課題】
【０００６】
本発明の目的は、表示装置の階調再現性を最大限に生かすことである。
【課題を解決するための手段】
【０００７】
本発明の映像データ処理装置は、映像データの画素値の最大値及び最小値を検出する検出手段と、前記最大値及び最小値の間の映像データの画素値を送信可能な最大階調にデータ変換する第１の変換手段と、前記変換された映像データを送信すると共に前記最大値及び最小値を再現可能な情報を送信する送信手段と、前記送信手段により送信された映像データ及び情報を受信する受信手段と、前記受信した映像データ及び情報を基に表示装置に表示しようとする表示データに階調変換する第２の変換手段とを有する。
また、本発明の映像データ処理装置は、映像データの画素値の最大値及び最小値を検出する検出手段と、前記最大値及び最小値の間の映像データの画素値を送信可能な最大階調にデータ変換する変換手段と、前記変換された映像データを送信すると共に前記最大値及び最小値を再現可能な情報を送信する送信手段とを有する。
また、本発明の映像データ処理装置は、映像データを受信すると共に映像データの画素値の最大値及び最小値を再現可能な情報を受信する受信手段と、前記受信した映像データ及び情報を基に表示装置に表示しようとする表示データに階調変換する変換手段とを有する。
また、本発明の映像データ処理装置は、同期信号の周期は変えずにアクティブ幅の変化でデータを表現して送信する送信手段と、前記送信された同期信号を受信して同期信号のアクティブ幅の変化からデータを検出する検出手段とを有する。
また、本発明の映像データ処理方法は、映像データの画素値の最大値及び最小値を検出する検出ステップと、前記最大値及び最小値の間の映像データの画素値を送信可能な最大階調にデータ変換する変換ステップと、前記変換された映像データを送信すると共に前記最大値及び最小値を再現可能な情報を送信する送信ステップとを有する。
また、本発明の映像データ処理方法は、映像データを受信すると共に映像データの画素値の最大値及び最小値を再現可能な情報を受信する受信ステップと、前記受信した映像データ及び情報を基に表示装置に表示しようとする表示データに階調変換する変換ステップとを有する。
また、本発明の映像データ処理方法は、同期信号の周期は変えずにアクティブ幅の変化でデータを表現して送信する送信ステップと、前記送信された同期信号を受信して同期信号のアクティブ幅の変化からデータを検出する検出ステップとを有する。
【発明の効果】
【０００８】
映像データの画素値の最大値及び最小値を基に映像データの階調変換を行うことができるので、表示装置に適した階調値で映像データを表示することができる。通信階調数が表示装置の階調数よりも少ない場合であっても、通信階調数に制限されずに表示装置の階調数を生かした高品質な表示を行うことができる。
【発明を実施するための最良の形態】
【０００９】
（第１の実施形態）
図３に、本発明の第１の実施形態によるシステムの全体構成を示す。10はデジタル放送受信用のIRD(Integrated Receiver Decoder)で、21はIRD10からの映像・音声信号を表示・音声再生する表示・再生部である。ここで放送はDVB(Digital Video Broadcasting)の放送システム、映像はISO/IEC 61818-2のMPEG2、音声はISO/IEC 61818-3のMPEG2にそれぞれ従い送られてくるとする。17はプログラムに従いこのIRD全体を制御するCPU、18はプログラムが納められたメモリ、19はCPU17と各部を結ぶ共通バスである。デジタル放送波を受信しCPU17の指示に従い所望の周波数を選択するチューナー11からの信号は、復調回路12を通り復調およびエラー訂正を行う。次にデマルチプレクサ13に送られ多重化されたストリームから所望のPIDを持つストリームを選択し、映像・音声ストリームはＡＶデコーダー14に送られ、ここで非圧縮の映像・音声データにデコードされ、それぞれデジタルの入力映像151・入力音声152が得られる。入力映像151は輝度・色差信号および同期信号等からなり、これらの信号を色変換回路15でrgb（赤緑青）信号に変換し、さらに映像送信部161に送られ処理される。入力音声152は音声送信部162に送られる。
【００１０】
表示・再生部21への映像信号は映像受信部221で受信・処理され表示器24に表示可能な信号にドライブするドライブ部23で処理される。音声信号は、音声受信部222で受信され音声信号を増幅するアンプ（AMP）25，これを音に変えるスピーカー26で処理される。
【００１１】
映像信号の流れを色変換回路15・映像送信部161から映像受信部221の詳細ブロック図である図４とタイミング図である図５で説明する。放送波はプログレッシブ方式で輝度および色差データを送る映像信号とする。放送波のAVデコーダ14からの入力映像151は各8bitsの輝度データY、色差データCb,Crおよび垂直同期信号vsync、水平同期信号hsync、クロックclk、データイネーブル信号deとする。色変換回路15は以下の式の逆変換を用いこれらの輝度・色差データから赤緑青のrgbデータを計算し出力する。
【００１２】
Y=0.587g+0.114b+0.299r   (1)
Cb=0.564(b-Y)
Cr=0.713(r-Y)
【００１３】
式の係数が小数点以下3桁であるので、計算結果であるrgbデータは各10bitsの精度とする。
【００１４】
映像送信部161は3つのブロック（Ａ）〜（Ｃ）から成る。
【００１５】
（Ａ）「最大・最小検出およびRGB変換回路41」は垂直同期信号vsyncの周期つまり1画面ごとに以下の処理を行う。
【００１６】
（１）1画面ごとの画素の最大値と最小値の検出
1画面中の全ての画素の赤緑青ごとに明るさの最大値を検出しそれぞれmaxr,maxg,maxbとする。更にこれらの中で最も大きい値をmaxとする。
同様に1画面中の全ての画素の赤緑青ごとに明るさの最小値を検出しそれぞれminr,ming,minbとし、これらの中で最も小さい値をminとする。
maxおよびminは以下の式で6bitsに丸められmaxtおよびmintとしてその値は出力される。
maxt=INT[max/16+0.5]       (2)
mint=INT[min/16+0.5]
ここでINT[X]はXの小数点以下を切り捨て整数化することを示す。
【００１７】
（２）RGB変換
入力されたrgbの各10bitsのデータは先ほど求めた最大値maxと最小値minの間に256階調つまり8bitsに以下の式で割り振られ、この式で求められたRを伝送データとする。
R=INT[255*(r-min)/(max-min)+0.5]           (3)
GおよびBも同様の式で、伝送データとする。
【００１８】
（Ｂ）水平同期幅変調回路42は以下の処理を行う。
図５のa)のように垂直同期信号VSYNCがアクティブな期間は水平同期信号HSYNCの2周期分とする。水平同期期間は図５のbb）のようにhltで、highのアクティブ期間は通常hhtとする。「最大・最小検出およびRGB変換回路41」からの最大・最小値maxt,mintを元に、垂直同期信号がアクティブ(本例ではhigh期間)の時、第一と第二水平同期信号の幅を可変する事でmaxtとmintを示す。具体的には最大値maxtの値のCLK分だけ、第一水平同期幅をmaxcだけ増やすことでmaxtを表す。つまり第一水平同期信号の幅は hht+maxc となる。同様に最小値mintは第二水平同期幅をmincだけ増やし、その幅は hht+mincとなる。maxtおよびmintは6bitsつまり最大64だが、水平同期信号の非アクティブ幅(hlt-hht)は64より充分大きいとする。水平同期幅変調回路42は垂直同期信号がhighの時、画素の最大・最小値を示すように水平同期信号の幅を変化させる出力を行う。
【００１９】
（Ｃ）TMDS送信IC43は以下の処理を行う。
RGB変換された各8bitsの映像データと同期幅変調された垂直・水平同期信号、クロック信号、データイネーブル信号の映像信号をTMDS送信IC43に入力し、TMDS出力として取り出す。
【００２０】
映像受信部221は3つのブロック（Ｄ）〜（Ｆ）で成る。
【００２１】
（Ｄ）TMDS受信IC 51は以下の処理を行う。
映像送信部161からのTMDS信号をTMDS受信IC51に入力し、RGB各8bitsの伝送データと垂直・水平同期信号、クロック信号、データイネーブル信号の映像信号を取り出す。
【００２２】
（Ｅ）最大・最小値検出回路52は以下の処理を垂直同期周期で行う。
垂直・水平同期信号、クロック信号、データイネーブル信号から垂直同期信号がlowの時の水平同期信号がhighの通常アクティブ幅hhtを知る。垂直同期信号がhighの時の第一と第二水平同期幅をクロック単位でカウントし、各々アクティブ幅hhtを引く。するとmaxcとmincが計算されそれぞれ画素の最大値maxtと最小値mintを検出することができ、これを出力する。
【００２３】
（Ｆ）rgb変換回路53は以下の処理を行う。
RGB各8bitsの伝送データと6bitsの画素の最大値maxtと最小値mintから各10bitsの赤緑青の各表示データrr,gg,bbの再現を行う。赤rrは以下の式で計算する。
rr=16mint+(maxt-mint)R/16         (4)
緑gg,青bbも同様の式で計算する。これらの値が表示映像231となる。
【００２４】
以上をまとめて本実施形態を最もよく表す図が図１の赤の色空間の遷移を示す図である。a)は入力映像151の処理前の空間で1024階調の中のminからmaxまでが有効色範囲で、0〜minおよびmax〜1023までの範囲に有効な色はないのでこの範囲は伝送しても無駄となる。b)は映像送信部161から伝送される範囲で伝送階調8bitsつまり256階調全てが有効値となり、最大値maxtと最小値mintも伝送される。c)は映像信号231の表示色の空間で、MIN値とMAX値の間が256階調で再現され色再現性が良いことを示す。ここでmaxtとmintが（2）式で6bitsと映像データの階調より低くしたのはこれらの値の階調を高くすると、画面ごとの少しの画素データの違いが最大・最小値を変化させ、映像受信部221で表示する表示映像231を再現する際同じ様な画面でも表示色が異なり見にくくなることを防ぐためである。
【００２５】
図２は入力映像151の処理前の赤空間を横軸に取り、伝送する空間を縦軸に取る。a)で示す直線が本実施形態の傾きで、b)の直線が従来例である。a)では処理前のmin〜maxの値が伝送する空間の256階調までにマッピングされるのに対し、b)では処理前の1024階調が伝送する空間の256階調までにマッピングされ無駄が生じることを示している。
【００２６】
いままでの説明を実際に検証してみよう。例えば赤空間でmax=600,min=20のやや暗い時にr=40とする。すると式(2)よりmaxt=38,mint=1となり、式（３）から伝送データR=9である。式（４）より表示データはrr=36となる。本実施形態では映像信号151の入力値20〜600が伝送・処理後に256階調で表示される。ところが従来は入力値20〜600は145段階の表示にとどまる。
【００２７】
（第２の実施形態）
第1の実施形態では映像送信部161から映像受信部221へ明るさの最大値と最小値を水平同期信号の幅を変化させることで伝送するとしたが、第２の実施形態では、［最大値と最小値の差分］および最小値を伝送しても良い。
【００２８】
その際、第１の実施形態で説明した構成に対し以下のような部分的な変更が必要となる。
水平同期幅変調回路42は垂直同期信号がhigh期間の時、第一水平同期幅を（maxc-minc）だけ増やすことで差分を表す。つまり第一水平同期信号の幅は（ hht+maxc-minc） となる。同様に最小値mintは第二水平同期幅をmincだけ増やし、その幅は hht+minc となる。
【００２９】
最大・最小値検出回路52は垂直・水平同期信号、クロック信号、データイネーブル信号から垂直同期信号がlowの時の水平同期信号がhighの通常アクティブ幅hhtを知る。垂直同期信号がhighの時の第一と第二水平同期幅をクロック単位でカウントし、各々アクティブ幅hhtを引く。すると（maxc-minc）とmincが計算されそれぞれ画素の最大値と最小値の差分(maxt-mint)と最小値mintを検出することができ、これからmaxtとmintを求め出力する。
【００３０】
（第３の実施形態）
第１の実施形態では伝送する最大値は赤緑青の個々の最大値の中での最大値、最小値は赤緑青の個々の最小値の中での最小値としたが、色毎に最大値と最小値を送っても良い。
【００３１】
その際、第１の実施形態で説明した構成に対し以下のような部分的な変更が必要となる。
【００３２】
（Ａ）「最大・最小検出およびRGB変換回路41」は垂直同期信号vsyncの周期つまり1画面ごとに以下の処理（３）及び（４）を行う。
【００３３】
（３）1画面ごとの画素の最大値と最小値の検出
1画面中の全ての画素の赤緑青ごとに明るさの最大値を検出し、(2)式と同様に6bitsに丸められそれぞれmaxr,maxg,maxbとする。
同様に1画面中の全ての画素の赤緑青ごとに明るさの最小値を検出し、(2)式と同様に6bitsに丸められそれぞれminr,ming,minbとする。
【００３４】
（４）RGB変換
入力されたrgbの各10bitsのデータは先ほど求めた赤緑青ごとの最大値と最小値の間に256階調つまり8bitsに以下の式で割り振られ、この式で求められたRGBを伝送データとする。
R=INT[255*(r-minr)/(maxr-minr)+0.5]           (3)'
GおよびBも同様の式である。
【００３５】
（Ｂ）水平同期幅変調回路42は以下の処理を行う。
図６のaa)のように垂直同期信号VSYNCがアクティブな期間は水平同期信号HSYNCの６周期分とする。水平同期期間は図６のbb）のようにhltで、highのアクティブ期間は通常hhtとする。「最大・最小検出およびRGB変換回路41」からの赤緑青ごとの最大・最小値を基に、垂直同期信号が本実施形態ではhigh期間の時、第一から第六水平同期信号の幅を可変にする事でそれぞれmaxr,minr,maxg,ming,maxg,mingを示す。
【００３６】
（Ｅ）最大・最小値検出回路52は以下の処理を垂直同期周期で行う。
垂直・水平同期信号、クロック信号、データイネーブル信号から垂直同期信号がlowの時の水平同期信号がhighの通常アクティブ幅hhtを知る。垂直同期信号がhighの時の第一から第六水平同期幅をクロック単位でカウントし、各々アクティブ幅hhtを引く。すると赤緑青ごとの最大値と最小値maxr,minr,maxg,ming,maxg,mingを検出することができ、これを出力する。
【００３７】
（Ｆ）rgb変換回路53は以下の処理を行う。
RGB各8bitsの伝送データと6bitsの画素の赤緑青ごとの最大値と最小値から各10bitsの赤緑青の各表示データrr,gg,bbの再現を行う。赤rrは以下の式で計算する。
rr=16mintr+(maxr-minr)R/16         (4)'
緑gg,青bbも同様の式で計算する。これらの値が表示映像231となる。
【００３８】
以上のように、第１の実施形態では画面単位で入力された映像データから明るさの最大値と最小値を求め、有効範囲内の映像データを伝送可能な階調数に割り振り直し最大・最小値と共に伝送し復号することで、表示データの階調数を高める効果がある。特に画面が全体的に暗いとか明るいとかの場合に階調数を高めた効果が顕著になる。更に同期信号に多重して明るさの最大値と最小値を伝送することで画面単位の最大・最小値がリアルタイムに処理可能になる効果がある。
【００３９】
また、このような最大・最小値は同期信号または映像信号とは非同期の通信で伝送されるのが一般的な考えであるが、このような方法では最大・最小値がどの画面の伝送データに対して有効なのかが分からなくなってしまう欠点がある。本実施形態では、同期信号に多重して伝送することで最大・最小値と画面の表示データの関係を一致させることができる。
【００４０】
表示装置の色再現性の階調(例えばRGB各10bits相当)が、IRDからの映像信号の階調(例えばRGB各8bits相当)より高い場合に、映像信号に最小値および最大値のデータを付加して伝送することで、表示装置が表現しようとしている階調範囲を全て有効な映像信号にマッピングし直すことで色再現性を最大限に生かす。
【００４１】
従来は伝送するデータの内、0と最小値の間および最大値と255の間のデータは伝送しても表示されることはなく無駄になっていた。本実施形態は有効表示データのみを伝送することで表示装置の色の階調性を高めるものである。
【００４２】
その際同期信号の幅を変えることで最小値および最大値を表し、リアルタイムに情報を伝達する。通信機能を使いこのような情報の伝達は可能だが、同期信号に情報を多重する事で制御情報と表示データのリンクが確実に行える。
【００４３】
第２の実施形態では差動データを送ることで、最小値が0の場合を除き最大値を送るよりもデータ量が減る効果がある。
【００４４】
第３の実施形態ではRGBごとの最大値と最小値を求め、有効範囲内の映像データをRGBごとに伝送可能な階調数に割り振り直し最大・最小値と共に伝送し復号することで、RGBのどの色かが極端に明るいとか暗いとかの色のバランスが悪い場合でも表示データの階調数を高める効果がある。
【００４５】
本実施形態は、コンピュータがプログラムを実行することによって実現することもできる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４７】
【図１】本発明の第１の実施形態を最もよく表す色空間再現性の図である。
【図２】第１の実施形態の処理前と伝送データの色空間の関係を示す図である。
【図３】第１の実施形態を適用するシステムの全体ブロック図である。
【図４】第１の実施形態を適用するシステムの一部の詳細ブロック図である。
【図５】第１の実施形態で図4を説明するタイミング図である。
【図６】第３の実施形態のタイミング図である。
【符号の説明】
【００４８】
11  チューナー
12  復調回路
13  デマルチプレクサ
14  AVデコーダ
15  色変換回路
17  ＣＰＵ
18  メモリ
161  映像送信部
221  映像受信部
41  最大・最小検出およびRGB変換回路
42  水平同期幅変調回路
43  TMDS送信IC
51  TMDS受信IC
52  最大・最小値検出回路
53  rgb変換回路
【図１】
2005109717.tif 000003
【図２】
2005109717.tif 000004
【図３】
2005109717.tif 000005
【図４】
2005109717.tif 000006
【図５】
2005109717.tif 000007
【図６】
2005109717.tif 000008